【手続補正書】
【提出日】平成17年10月11日(2005.10.11)
【手続補正１】
【補正対象書類名】明細書
【補正対象項目名】発明の名称
【補正方法】変更
【補正の内容】
【発明の名称】画像形成装置および電力制御方法
【手続補正２】
【補正対象書類名】明細書
【補正対象項目名】特許請求の範囲
【補正方法】変更
【補正の内容】
【特許請求の範囲】
【請求項１】  通常待機時より消費電力の少ない低消費電力モードを有する画像形成装置において、
前記画像形成装置の第１のステータスを検知する第１の検知手段と、
前記第１のステータスを変化させるために変化が必要な画像形成装置の第２のステータスを検知する第２の検知手段と、
前記低消費電力モード時に、前記第１の検知手段へ通電される電源をＯＦＦにし、前記第２の検知手段により検出される第２のステータスに変化があった時に、前記第１の検知手段に通電される電源をＯＮするように制御する制御手段と、
を有することを特徴とする画像形成装置。
【請求項２】  前記制御手段は、前記低消費電力モード時に、前記第２の検知手段へ通電される電源を間欠的にＯＮして前記第２のステータスを検知させることを特徴とする請求項１記載の画像形成装置。
【請求項３】  前記制御手段は、前記低消費電力モード時に、前記第２の検出手段により検出される第２のステータスが所定方向に変化があった時に、前記第１の検知手段に通電される電源をＯＮするように制御することを特徴とする請求項１又は２記載の画像形成装置。
【請求項４】  通常待機時より消費電力の少ない低消費電力モードを有する画像形成装置において、
画像形成装置の第１のステータス群を検知する複数の第１検知手段と、
前記第１のステータス群を変化させるために変化を必要な画像形成装置の第２のステータス群を検知する複数の第２検知手段と、
前記低消費電力モード時に、前記複数の第１検知手段へ通電される電源をＯＦＦにし、前記複数の第２検出手段により検出される第２のステータス群に変化があった時に、その変化に応じて前記複数の第１検知手段の一部または全ての電源をＯＮするように制御する制御手段と、
を有することを特徴とする画像形成装置。
【請求項５】  前記制御手段は、前記複数の第１検知手段に通電される電源のＯＮ／ＯＦＦを制御するため、シリアルの制御信号を出力するものであり、
前記制御手段により出力されたシリアル制御信号をシリアル／パラレル変換して、前記複数の第２検知手段へ制御信号を分配するシリアルパラレル変換手段を有することを特徴とする請求項４記載の画像形成装置。
【請求項６】  前記制御手段は、前記低消費電力モード時に、前記複数の第２検出手段により検出される第２のステータス群が所定方向に変化があった時に、その変化に応じて前記複数の第１検知手段の一部または全ての電源をＯＮするように制御することを特徴とする請求項５記載の画像形成装置。
【請求項７】  前記制御手段は、前記低消費電力モード時に、前記複数の第２検出手段により検出される第２のステータス群にある状態が連続して続いた場合に、前記複数の第１検知手段の一部または全ての電源をＯＮするように制御することを特徴とする請求項５記載の画像形成装置。
【請求項８】  前記制御手段は、前記低消費電力モード時に、前記複数の第２検知手段へ通電される電源を間欠でＯＮして前記第２のステータス群を検知させることを特徴とする請求項５〜７のいずれかに記載の画像形成装置。
【請求項９】  通常待機時より消費電力の少ない低消費電力モードを有する画像形成装置において、
入力される画像データに基づいて画像形成処理する画像形成手段と、
画像形成手段の第１のステータスを検知する第１の検知手段と、
前記第１のステータスを変化させるために変化を必要な画像形成手段の第２のステータスを検知する第２の検知手段と、
前記第１の検出手段，第２の検知手段に接続され、前記第１の検出手段，第２の検知手段から出力される第１のステータス，第２のステータスを受けて、画像形成手段の制御を行う画像形成制御手段と、
前記第２の検知手段の出力を受けてパラレル／シリアル変換するパラレルシリアル変換手段と、
前記画像形成制御手段およびパラレルシリアル変換手段と接続され、前記画像形成手段の各ステータスを取得し、前記画像形成制御手段、および前記第１の検知手段，第２の検知手段への電源ＯＮ／ＯＦＦを制御する低電力制御手段とを有し、
前記低電力制御手段は、前記低消費電力モードの時、前記画像形成制御手段と前記第１の検知手段に給電される電源をＯＦＦにし、前記パラレルシリアル変換手段を介して得た前記第２のステータス情報に変化があった時、前記第１の検知手段への給電をＯＮするように制御することを特徴とする画像形成装置。
【請求項１０】  前記低電力制御手段は、前記低消費電力モードの時、前記第２の検知手段へ給電される電源を間欠でＯＮして前記第２のステータスを検知させることを特徴とする請求項９記載の画像形成装置。
【請求項１１】  前記低電力制御手段は、前記低消費電力モードの時、前記パラレルシリアル変換手段を介して得た前記第２のステータス情報が所定方向に変化があった時、前記第１の検知手段への給電をＯＮするように制御することを特徴とする請求項９又は１０記載の画像形成装置。
【請求項１２】  前記低消費電力モードの時、前記第２のステータス情報が所定方向に変化があった時とは、前記画像形成手段の給紙カセットが開状態から閉状態に変化があった時とすることを特徴とする請求項１１記載の画像形成装置。
【請求項１３】  前記低電力制御手段は、前記低消費電力モードの時、前記パラレルシリアル変換手段を介して得た前記第２のステータス情報において、ある状態が連続して続いた場合に、前記第１の検知手段への給電をＯＮするように制御することを特徴とする請求項９又は１０記載の画像形成装置。
【請求項１４】  前記前記第２のステータス情報において、ある状態が連続して続いた場合とは、前記画像形成手段のドアが開いている状態が連続して続いた場合とすることを特徴とする請求項１３記載の画像形成装置。
【請求項１５】  通常待機時より消費電力の少ない低消費電力モードを有し、画像形成装置の第１のステータスを検知する第１の検知手段と、前記第１のステータスを変化させるために変化を必要な画像形成装置の第２のステータスを検知する第２の検知手段とを有する画像形成装置における電源制御方法であって、
前記低消費電力モード時に、前記第１の検知手段へ通電される電源をＯＦＦにする第１の電源制御工程と、
前記第２の検出手段により検出される第２のステータスに変化があった時に、前記第１の検知手段に通電される電源をＯＮする第２の電源制御工程と、
を有することを特徴とする電源制御方法。
【請求項１６】  通常待機時より消費電力の少ない低消費電力モードを有し、画像形成装置の第１のステータス群を検知する複数の第１検知手段と、前記第１のステータス群を変化させるために変化を必要な画像形成装置の第２のステータス群を検知する複数の第２検知手段と、前記複数の第１検知手段に通電される電源のＯＮ／ＯＦＦを制御するためシリアルの制御信号を出力する制御手段と、前記制御手段により出力されたシリアル制御信号をシリアル／パラレル変換して前記複数の第２検知手段へ制御信号を分配するシリアルパラレル変換手段とを有する画像形成装置における電源制御方法であって、
前記低消費電力モード時に、前記複数の第１検知手段へ通電される電源をＯＦＦにする第１の電力制御工程と、
前記複数の第２検出手段により検出される第２のステータス群に変化があった時に、その変化に応じて前記複数の第１検知手段の一部または全ての電源をＯＮするように制御する第２の電力制御工程と、
を有することを特徴とする電源制御方法。
【請求項１７】  通常待機時より消費電力の少ない低消費電力モードを有し、入力される画像データに基づいて画像形成処理する画像形成手段と、画像形成手段の第１のステータスを検知する第１の検知手段と、前記第１のステータスを変化させるために変化を必要な画像形成手段の第２のステータスを検知する第２の検知手段と、前記第１の検出手段，第２の検知手段に接続され、前記第１の検出手段，第２の検知手段から出力される第１のステータス，第２のステータスを受けて、画像形成手段の制御を行う画像形成制御手段と、前記第２の検知手段の出力を受けてパラレル／シリアル変換するパラレルシリアル変換手段と、前記画像形成制御手段およびパラレルシリアル変換手段と接続され、前記画像形成手段の各ステータスを取得し、前記画像形成制御手段、および前記第１の検知手段，第２の検知手段への電源ＯＮ／ＯＦＦを制御する低電力制御手段とを有する画像形成装置における電力制御方法であって、
前記低消費電力モードの時、前記画像形成制御手段と前記第１の検知手段に給電される電源をＯＦＦにする第１の電源制御工程と、
前記パラレルシリアル変換手段を介して得た前記第２のステータス情報に変化があった時、前記第１の検知手段への給電をＯＮするように制御する第２の電源制御工程と、
を有することを特徴とする電源制御方法。